(57)【要約】【課題】有線リモコンと無線リモコンのそれぞれが動画撮影用と静止画撮影用のボタンが独立して備えていれば、ユーザは遠隔地からいずれの撮影を行うか自在に選択できるものの、複数の操作部材をそれぞれ備えることは、構成が複雑となり部品点数が増大する。一方、操作部材がシンプルであれば、両者を同時に使用する場合の機能割り当てが煩雑となる。【解決手段】上記課題を解決するために、撮像装置は、第１リモコンから受信する受信信号に第１機能を実行させる機能割り当てが行われたときに、第２リモコンから受信する受信信号に第１機能と対を成す第２機能を実行させる機能割り当てを自動的に行う制御部を備える。【選択図】図４
2013197616.tif 000002
【特許請求の範囲】
【請求項１】
第１リモコンから受信する受信信号に第１機能を実行させる機能割り当てが行われたときに、第２リモコンから受信する受信信号に前記第１機能と対を成す第２機能を実行させる機能割り当てを自動的に行う制御部を備える撮像装置。
【請求項２】
前記制御部は、前記第１リモコンからの受信信号および前記第２リモコンからの受信信号を受信可能と認識したときに、前記第２リモコンの受信信号に機能割り当てを行う請求項１に記載の撮像装置。
【請求項３】
前記第１機能と前記第２機能は、静止画撮影指示と動画撮影指示である請求項１または２に記載の撮像装置。
【請求項４】
前記制御部は、前記第１リモコンからの受信信号および前記第２リモコンからの受信信号のいずれか一方のみが受信可能と認識したときには、受信可能な受信信号に前記静止画撮影指示を実行させる機能割り当てを行う請求項３に記載の撮像装置。
【請求項５】
前記第１リモコンと前記第２リモコンは、有線リモコンと無線リモコンである請求項１から４のいずれか１項に記載の撮像装置。
【請求項６】
前記制御部は、前記第１リモコンから受信する受信信号に、前記第１機能および前記第２機能のいずれかを割り当てることができる選択項目と、前記第２リモコンから受信する受信信号に、前記第１機能および前記第２機能のいずれかを割り当てることができる選択項目を有するメニュー画面において、ユーザが一方のリモコンの受信信号に一の機能割り当てる選択を行った場合に、他方のリモコンの受信信号に他の機能を割り当てる選択をデフォルトとする請求項１から５のいずれか１項に記載の撮像装置。
【発明の詳細な説明】
【技術分野】
【０００１】
本発明は、撮像装置に関する。
【背景技術】
【０００２】
一台で静止画撮影と動画撮影ができるカメラが知られている。また、カメラと離れた場所からカメラを操作する、有線リモコンと無線リモコンが知られている。
［先行技術文献］
［特許文献］
［特許文献１］特開平１１−１７６２８６号公報
【発明の概要】
【発明が解決しようとする課題】
【０００３】
有線リモコンと無線リモコンのそれぞれが動画撮影用と静止画撮影用のボタンが独立して備えていれば、ユーザは遠隔地からいずれの撮影を行うか自在に選択できるものの、複数の操作部材をそれぞれ備えることは、構成が複雑となり部品点数が増大する。一方、操作部材がシンプルであれば、両者を同時に使用する場合の機能割り当てが煩雑となる。
【課題を解決するための手段】
【０００４】
上記課題を解決するために、本発明の態様における撮像装置は、第１リモコンから受信する受信信号に第１機能を実行させる機能割り当てが行われたときに、第２リモコンから受信する受信信号に第１機能と対を成す第２機能を実行させる機能割り当てを自動的に行う制御部を備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る一眼レフカメラの背面斜視図である。
【図２】一眼レフカメラのシステム構成を概略的に示すブロック図である。
【図３】リモコン設定メニューの表示画面である。
【図４】リモコンの機能割り当てに関する動作フロー図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る一眼レフカメラ１０の背面斜視図である。一眼レフカメラ１０は、カメラ本体３０に交換レンズ２０が装着されて構成される。カメラ本体３０には、異なる複数の交換レンズ２０が交換可能に装着される。
【０００９】
カメラ本体３０の背面には、液晶表示部３１、決定ボタン３３、十字キー３４、ライブビューボタン３５等の操作部材などが設けられている。液晶表示部３１には、撮影された画像データの画像表示の他、一眼レフカメラ１０の各種設定に関する様々な設定情報、メニュー項目等も表示される。ユーザは、十字キー３４、決定ボタン３３および他の操作部材を操作することにより、液晶表示部３１に画像データ、メニュー項目等を順次表示させて視認しながら、特定の項目を選択、実行する指示をカメラ本体３０に与えることができる。例えば、ユーザは、十字キー３４によりアクティブなメニュー項目を上下左右に移動させた後に、十字キー３４の中心部に設けられた決定ボタン３３を押下げることにより、アクティブにしたメニュー項目をカメラ本体３０に設定、実行させることができる。
【００１０】
ライブビューボタン３５は、撮像素子の受光面に結像する被写体画像を逐次光電変換して表示用の画像データを生成し、これを液晶表示部３１に連続的に表示させるライブビューを開始させるボタンである。ユーザは、ライブビューボタン３５を押し下げることにより、光学ファインダーによる被写体観察から、ライブビューによる被写体観察に切り替えることができる。さらに、再度ライブビューボタン３５を押し下げれば、光学ファインダーによる被写体観察に戻すことができる。
【００１１】
ライブビューは、動画撮影前の準備段階における被写体観察に利用できる。ユーザがメニュー項目から動画撮影モードを選択すると、被写体を観察する初期設定としてライブビューが開始される。ユーザは、動画撮影の準備が整い、撮影を開始したいタイミングで決定ボタン３３を押し下げると、動画撮影が開始される。動画撮影中においてもライブビューは動作し、ユーザは被写体像を確認しながら撮影を続けることができる。そして、再度決定ボタン３３を押し下げると、撮影が終了する。
【００１２】
また、ライブビューは、静止画撮影前の準備段階における被写体観察にも利用できる。ユーザがメニュー項目から静止画撮影モードを選択し、ライブビューボタン３５を押し下げれば、ライブビューが開始される。そして、レリーズボタン３６を押し下げれば、静止画撮影を実行することができる。
【００１３】
カメラ本体３０の前面には、ワイヤレスリモコン４０からの信号を受信する受信窓３７が設けられている。ワイヤレスリモコン４０は、一つのボタンを備え、ユーザがこのボタンを押下げたときに、例えば赤外線によるＯＮ信号が発信される無線リモコンである。カメラ本体３０は、受信窓３７を介してこのＯＮ信号を受信する。また、ワイヤレスリモコン４０は、使用可能状態において、一定間隔でスタンバイ信号を発信している。
【００１４】
カメラ本体３０の側面には、ケーブルリモコン５０を接続する接続端子３８が設けられている。ケーブルリモコン５０は、一つのボタンを備え、接続端子３８を介してカメラ本体３０と接続されているときにユーザがこのボタンを押下げると、ＯＮ信号をカメラ本体へ送信する有線リモコンである。接続端子３８は、ケーブルリモコン５０が接続されると特定の２端子が短絡する構成を備える。なお、ケーブルリモコン５０は、ボタンをスライドさせることによりＯＮ状態を維持するスライド機構を備えており、静止画撮影におけるバルブ撮影において有効に機能する。
【００１５】
図２は、本実施形態に係る一眼レフカメラ１０のシステム構成を概略的に示すブロック図である。一眼レフカメラ１０のシステムは、交換レンズ２０とカメラ本体３０のそれぞれに対応して、レンズシステム制御部１２０を中心とするレンズ制御系と、カメラシステム制御部１３０を中心とするカメラ制御系により構成される。そして、レンズ制御系とカメラ制御系は、レンズマウント１２１とカメラマウント１３１によって接続される接続部を介して、相互に各種データ、制御信号の授受を行う。
【００１６】
カメラ制御系に含まれる画像処理部１３６は、設定されている撮影モード、ユーザからの指示、カメラシステム制御部１３０からの指令に則して、撮像素子１３５で光電変換された撮像信号を所定の画像フォーマットに従った画像データに処理する。例えば、静止画像としてＪＰＥＧファイルを生成する場合、色変換処理、ガンマ処理、ホワイトバランス処理等の画像処理を行った後に適応離散コサイン変換等を施して圧縮処理を行う。また、動画像としてＭＰＥＧファイルを生成する場合、所定の画素数に縮小されて生成された連続する静止画としてのフレーム画像に対して、フレーム内符号化、フレーム間符号化を施して圧縮処理を行う。処理された画像データは、外部接続ＩＦ１３７を介して外部メモリに記録される。
【００１７】
カメラメモリ１３２は、例えばフラッシュメモリなどの不揮発性メモリであり、一眼レフカメラ１０を制御するプログラム、各種パラメータなどを記憶する役割を担う。ワークメモリ１３３は、例えばＲＡＭなどの高速アクセスできるメモリであり、処理中の画像データを一時的に保管する役割などを担う。表示制御部１３４は、カメラシステム制御部１３０の指示に従って、液晶表示部３１に表示するメニュー画面、被写体像等を調整する。
【００１８】
モード切替部１３９は、ユーザによる撮影モードの設定を受け付けて、カメラシステム制御部１３０へ出力する。撮影モードとしては、動画撮影モードと静止画撮影モードを備える。操作入力部１３８は、十字キー３４、決定ボタン３３、レリーズボタン３６等の操作部材が操作されたことを検出して、カメラシステム制御部１３０へ出力する。
【００１９】
リモコン制御部１４０は、ワイヤレスリモコン４０の信号を検知する無線検知部１４１からの検知信号と、ケーブルリモコン５０の信号を検知する有線検知部１４２からの検知信号を受け付ける。また、リモコン制御部１４０は、これらから受け付けた検知信号がいかなる機能を動作させる信号であるかを定義付けて、カメラシステム制御部１３０へ引き渡す。リモコン制御部１４０は、例えば、カメラシステム制御部１３０を介してユーザの指示を受け取り、それぞれの検知信号に機能割り当てを行う。機能割り当ての詳細については後述する。
【００２０】
レンズシステム制御部１２０は、カメラシステム制御部１３０からの制御信号を受けて各種動作を実行する。モータ駆動回路１２２は、カメラシステム制御部１３０からの制御信号をレンズシステム制御部１２０が受け取って加工した駆動信号が入力されて、フォーカスレンズ群を移動させるアクチュエータを駆動する。
【００２１】
図３は、リモコン設定メニューの表示画面である。リモコン設定メニュー画面は、ワイヤレスリモコン４０およびケーブルリモコン５０の送信信号を受信したときに、それぞれの信号に対していかなる機能を動作させるかについての、機能割り当てを設定する画面である。
【００２２】
ケーブルリモコン５０が使用可能状態であれば、ユーザは、ケーブルリモコン項目のチェックボックスが選択できる。使用不可能状態であれば、ケーブルリモコン項目がグレーアウト表示になり、チェックボックスにチェックを入れることができない。ケーブルリモコン５０が使用可能状態であるか否かは、有線検知部１４２が接続端子３８の上述の特定２端子が短絡状態にあるか否かを検知して、リモコン制御部１４０が判断する。
【００２３】
ケーブルリモコン５０が使用可能状態であっても、ユーザがチェックボックスにチェックを入れなければ、ケーブルリモコン５０からのＯＮ信号を有線検知部１４２が検知しても、リモコン制御部１４０は、いかなる機能も動作させない。一方、チェックボックスにチェックを入れれば、ユーザは、動画撮影項目と静止画撮影項目のそれぞれに与えられたラジオボタンが選択できる。
【００２４】
ラジオボタンは択一的に選択できる選択ボタンであり、一方にチェックを入れると、他方のチェックが解除される。ユーザは、いずれかの項目に付されたラジオボタンを選択することにより、ケーブルリモコン５０のＯＮ信号に動画撮影指示機能または静止画撮影指示機能を割り当てることができる。
【００２５】
上述のように、ケーブルリモコン５０はスライド機構を備え、ワイヤレスリモコン４０よりも静止画撮影に向いていると言える。したがって、ケーブルリモコン項目においては、ケーブルリモコン５０の接続直後の初期状態において、静止画撮影項目が初期値としてチェックされている。
【００２６】
ワイヤレスリモコン４０が使用可能状態であれば、ユーザは、ワイヤレスリモコン項目のチェックボックスが選択できる。使用不可能状態であれば、ワイヤレスリモコン項目がグレーアウト表示になり、チェックボックスにチェックを入れることができない。ワイヤレスリモコン４０が使用可能状態であるか否かは、無線検知部１４１が一定間隔でスタンバイ信号を検知しているか否かにより、リモコン制御部１４０が判断する。
【００２７】
ワイヤレスリモコン４０が使用可能状態であっても、ユーザがチェックボックスにチェックを入れなければ、ワイヤレスリモコン４０からのＯＮ信号を無線検知部１４１が検知しても、リモコン制御部１４０は、いかなる機能も動作させない。一方、チェックボックスにチェックを入れれば、ユーザは、動画撮影項目と静止画撮影項目のそれぞれに与えられたラジオボタンが選択できる。このように、ケーブルリモコン項目とワイヤレスリモコン項目のそれぞれにチェックボックスを設けることにより、接続状態を確保しつつ、意図しない誤動作を防止することができる。
【００２８】
ユーザは、いずれかの項目に付されたラジオボタンを選択することにより、ワイヤレスリモコン４０のＯＮ信号に動画撮影指示機能または静止画撮影指示機能を割り当てることができる。
【００２９】
なお、ここでは、動画撮影指示機能と静止画撮影指示機能は対を成す機能である。したがって、ユーザの意図に反して２つのリモコンに同じ機能を割り当ててしまうことを防止すべく、リモコン制御部１４０は、一方のリモコン項目で動画撮影指示機能が先に選択されたら、他方のリモコン項目では自動的に静止画指示機能をデフォルトの選択とする。同様に、一方のリモコン項目で静止画撮影指示機能が先に選択されたら、他方のリモコン項目では自動的に動画指示機能をデフォルトの選択とする。また、ユーザに選択される前の初期状態では、ケーブルリモコン項目は静止画撮影指示機能が選択されているので、リモコン制御部１４０は、ワイヤレスリモコン項目は動画撮影指示機能をデフォルトの選択とする。
【００３０】
なお、上記においては、各リモコンが使用可能状態であることを確認してから、メニュー項目の選択を受け付ける例を説明したが、使用可能状態であるか否かに関わらず選択を受け付けても良い。これにより、例えば、ワイヤレスリモコン４０がスタンバイ信号を発信しない構成であっても、ユーザが意図しない設定を防止することができる。
【００３１】
ワイヤレスリモコン４０およびケーブルリモコン５０のそれぞれの信号に対していかなる機能を動作させるかについては、リモコン設定メニュー画面からの設定に限らない。次に、リモコンの機能割り当てについて、全体の処理フローを説明する。図４は、リモコンの機能割り当てに関する動作フロー図である。図のフローにおける処理は、一眼レフカメラ１０の電源がオンにされて開始される。
【００３２】
リモコン制御部１４０は、ステップＳ１０１で、各リモコンの接続状況を検知する。具体的には上述のように、ケーブルリモコン５０であれば、有線検知部１４２が接続端子３８の特定２端子が短絡状態にあるかを検知し、ワイヤレスリモコン４０であれば、無線検知部１４１がスタンバイ信号を受信状態であるかを検知して、リモコン制御部１４０が接続状況を判断する。
【００３３】
ステップＳ１０２へ進み、リモコン制御部１４０は、ステップＳ１０１の検知動作によりケーブルリモコン５０が接続状態であると判断した場合には、ステップＳ１０３へ進む。非接続状態であると判断した場合には、ステップＳ１０６へ進む。
【００３４】
ステップＳ１０３では、リモコン制御部１４０は、ケーブルリモコン５０のＯＮ信号に静止画撮影指示機能を割り当てる設定をする。つまり、ワイヤレスリモコン４０の接続状態のいかんに関わらず、ケーブルリモコン５０が接続されていれば、そのＯＮ信号に静止画撮影指示機能を割り当てる。
【００３５】
ステップＳ１０３の設定が終了したら、ステップＳ１０４へ進む。ステップＳ１０４でリモコン制御部１４０は、ステップＳ１０１の検知動作によりワイヤレスリモコン４０が接続状態であると判断した場合には、ステップＳ１０５へ進む。非接続状態であると判断した場合には、ステップＳ１０９へ進む。
【００３６】
リモコン制御部１４０は、ステップＳ１０５で、ワイヤレスリモコン４０のＯＮ信号に動画撮影指示機能を割り当てる設定をする。つまり、ケーブルリモコン５０のＯＮ信号に割り当てた静止画撮影指示機能と対を成す動画撮影指示機能を、ワイヤレスリモコン４０のＯＮ信号に割り当てる。設定が終了したらステップＳ１０９へ進む。
【００３７】
一方、ケーブルリモコン５０が非接続状態である場合には、リモコン制御部１４０はステップＳ１０２からステップＳ１０６へ進み、ワイヤレスリモコン４０が接続状態であるか非接続状態であるかを確認する。接続状態であればステップＳ１０７へ進み、非接続状態であればステップＳ１０８へ進む。
【００３８】
ステップＳ１０７では、リモコン制御部１４０は、ワイヤレスリモコン４０のＯＮ信号に静止画撮影指示機能を割り当てる設定をする。つまり、ケーブルリモコン５０が接続されておらず、ワイヤレスリモコン４０のみが接続されていれば、そのＯＮ信号に静止画撮影指示機能を割り当てる。したがって、いずれか一方のリモコンのみが接続されている場合は、そのＯＮ信号に静止画撮影指示機能を割り当てることになる。ステップＳ１０７の設定が終了したら、ステップＳ１０９へ進む。
【００３９】
ステップＳ１０６からステップＳ１０８へ進んだ場合は、リモコン制御部１４０は、いずれのリモコンも非接続状態であるとして、ステップＳ１０８において各リモコンの設定を無効とする。そしてステップＳ１１１へ進む。
【００４０】
ステップＳ１０４のＮＯ、ステップＳ１０５、ステップＳ１０７のいずれかからステップＳ１０９へ進むと、リモコン制御部１４０は、ステップＳ１０９で、リモコン設定メニューが呼び出されたか否かを判断する。呼び出されたと判断したらステップＳ１１０へ進み、図３を用いて説明した手順によりユーザの指示を受け付ける。したがって、これまでの処理により、各リモコンの接続状況に応じてリモコン制御部１４０が機能割り当てを自動的に行ったとしても、ユーザのメニュー項目選択を優先して、設定をやり直す。
【００４１】
ステップＳ１０８、ステップＳ１０９のＮＯ、ステップＳ１１０のいずれかからステップＳ１１１へ進むと、リモコン制御部１４０は、電源がオフにされたか否かを判断する。電源がオフにされていなければ再びステップＳ１０１へ戻る。オフにされていれば、一連の処理を終了する。
【００４２】
なお、上記のフローにおいては、ワイヤレスリモコン４０の接続状況に関わらず、ケーブルリモコン５０のＯＮ信号に静止画撮影指示機能を割り当てたが、２つのリモコンのうち一方のリモコンのみが接続状態にあることを認識してから、そのＯＮ信号に静止画撮影指示機能を割り当てても良い。
【００４３】
また、上記の実施形態においては、有線リモコンと無線リモコンの組み合わせの例で説明したが、２つのリモコンが共に有線または無線の組み合わせであっても、上記の概念を適用し得る。すなわち、一方のリモコンのＯＮ信号に静止画撮影指示機能または動画撮影機能のいずれかを割り当てたら、他方のリモコンのＯＮ信号には対となる指示機能を割り当てる。また、上記の実施形態においては、静止画撮影指示機能と動画撮影指示機能の対となる機能の例で説明したが、他の対となる機能であっても、上記の概念を適用し得る。例えば、撮影モードから再生モードへの切り替えと、再生モードから撮影モードへの切り替えの組み合わせ、ＡＦ動作開始指示機能とＡＥ動作開始指示機能の組み合わせなどが挙げられる。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４６】
１０  一眼レフカメラ、２０  交換レンズ、３０  カメラ本体、３１  液晶表示部、３３  決定ボタン、３４  十字キー、３５  ライブビューボタン、３６  レリーズボタン、３７  受信窓、３８  接続端子、４０  ワイヤレスリモコン、５０  ケーブルリモコン、１２０  レンズシステム制御部、１２１  レンズマウント、１２２  モータ駆動回路、１３０  カメラシステム制御部、１３１  カメラマウント、１３２  カメラメモリ、１３３  ワークメモリ、１３４  表示制御部、１３５  撮像素子、１３６  画像処理部、１３７  外部接続ＩＦ、１３８  操作入力部、１３９  モード切替部、１４０  リモコン制御部、１４１  無線検知部、１４２  有線検知部
【図１】
2013197616.tif 000003
【図２】
2013197616.tif 000004
【図３】
2013197616.tif 000005
【図４】
2013197616.tif 000006